【手続補正書】
【提出日】平成29年2月13日(2017.2.13)
【手続補正１】
【補正対象書類名】明細書
【補正対象項目名】００３４
【補正方法】変更
【補正の内容】
【００３４】
本明細書において、本発明の或る特定の特徴だけが図示および説明されてきたが、当業者には多くの変更および変形が思い浮かぶであろう。それゆえ、添付の特許請求の範囲は、本発明の真の趣旨に入る全ての変更および変形を包含することを意図していることを理解されたい。
なお、本発明は、以下の特徴を以って実施することができる。
［特徴１］
エンジン駆動型溶接機であって、
電気出力を提供するように構成される発電機と、
前記発電機に結合され、該発電機を駆動するように構成されるエンジンと、
前記エンジンに結合される空気圧縮システムであって、空気圧出力を提供するように構成される空気圧縮システムと、
前記発電機に結合され、第１の溶接出力を提供するように構成される第１の溶接システムと、
前記発電機に接続され、第２の溶接出力を提供するように構成される第２の溶接システムであって、独立モードでは、前記第２の溶接出力は前記第１の溶接出力と独立しており、並列モードでは、前記第２の溶接出力は結合溶接出力として前記第１の溶接出力と結合される、第２の溶接システムとを備えるエンジン駆動型溶接機。
［特徴２］
前記発電機は、前記第１の溶接システムに結合された第１の巻線と、前記第２の溶接システムに結合された第２の巻線とを備え、前記第１の巻線は前記第２の巻線と独立している特徴１に記載のエンジン駆動型溶接機。
［特徴３］
前記第１の溶接システムは、前記第１の溶接出力を制御するように構成される第１の制御基板を備え、前記第２の溶接システムは、前記第２の溶接出力を制御するように構成される第２の制御基板を備え、前記第１の制御基板は、前記並列モードにおいて前記第２の制御基板を制御するように構成される特徴１に記載のエンジン駆動型溶接機。
［特徴４］
前記第１の溶接システムは、前記第１の溶接出力を調節するように構成される第１のオペレーターインターフェースを備え、前記第２の溶接システムは前記第２の溶接出力を調節するように構成される第２のオペレーターインターフェースを備える特徴１に記載のエンジン駆動型溶接機。
［特徴５］
前記第１のオペレーターインターフェースは前記結合溶接出力を調節するように構成される特徴４に記載のエンジン駆動型溶接機。
［特徴６］
前記第１の溶接出力および前記第２の溶接出力は、定電流出力、定電圧出力、或いは、それらの任意の組み合わせを含む特徴１に記載のエンジン駆動型溶接機。
［特徴７］
前記独立モードまたは前記並列モードを選択するように構成されるオペレーター入力を備え、該オペレーター入力は、前記並列モードでは、前記第１の溶接システムと前記第２の溶接システムとの間にスイッチを連結し、前記独立モードでは前記スイッチを外すように構成される特徴１に記載のエンジン駆動型溶接機。
［特徴８］
前記発電機に結合された補助回路を備え、該補助回路は、補助出力端子に補助出力を提供するように構成される特徴１に記載のエンジン駆動型溶接機。
［特徴９］
前記アクセサリは１または複数の固定溶接機を備える特徴８に記載のエンジン駆動型溶接機。
［特徴１０］
前記エンジンに結合されたコントローラーを備え、該コントローラーは、前記空気圧出力、前記第１の溶接出力または前記第２の溶接、或いは、それらの任意の組み合わせに少なくとも部分的に基づいて、前記エンジンの速度を制御するように構成される特徴１に記載のエンジン駆動型溶接機。
［特徴１１］
エンジンと、
前記エンジンに結合され、空気圧出力を生成するように構成される空気圧縮システムと、
前記エンジンに結合され、独立モードおよび結合モードにおいて構成可能なマルチオペレーター溶接システムとを備え、
前記マルチオペレーター溶接システムは、
前記独立モードでは、前記マルチオペレーター溶接システムから第１の溶接出力を受け取るように構成され、前記結合モードでは、前記マルチオペレーター溶接システムから前記第１の溶接出力および第２の溶接出力を受け取るように構成される第１の端子組と、
前記独立モードにおいて前記マルチオペレーター溶接システムから前記第２の溶接出力を受け取るように構成される第２の端子組とを備えるシステム。
［特徴１２］
前記第１の溶接出力、前記第２の溶接出力および前記結合溶接出力を制御するように構成されるオペレーターインターフェースを備える特徴１１に記載のシステム。
［特徴１３］
前記エンジンは、ベルトを介して前記空気圧縮システムを駆動するように構成される特徴１１に記載のシステム。
［特徴１４］
前記空気圧縮システムは、前記空気圧出力を前記マルチオペレーター溶接システムに供給するように構成され、前記第１の端子組に結合された第１のトーチは、前記空気圧出力の第１の部分を受け取るように構成され、前記第２の端子組に結合された第２のトーチは、前記空気圧出力の第２の部分を受け取るように構成される特徴１１に記載のシステム。
［特徴１５］
前記第１の端子組および前記第２のトーチは、手棒溶接プロセス、ティグ（ＴＩＧ）溶接プロセス、被覆金属アーク溶接（ＳＭＡＷ）プロセス、ガス金属アーク溶接（ＧＭＡＷ）プロセス、プラズマ切断プロセス、カーボンアークガウジングプロセス或いは、それらの任意の組み合わせを実施するように構成される特徴１１に記載のシステム。
［特徴１６］
前記エンジン、前記空気圧縮システムおよび前記マルチオペレーター溶接システムを少なくとも部分的に取り囲むように構成される筐体を備える特徴１１に記載のシステム。
［特徴１７］
エンジンと、
前記エンジンに結合される発電機であって、第１の溶接システムおよび第２の溶接システムに電力を供給するように構成され、結合モードにおいて、前記第１の溶接システムの第１の溶接出力は前記第２の溶接システムの第２の溶接出力と結合される発電機と、
前記エンジンに結合される空気圧縮機であって、空気圧出力を生成するように構成される空気圧縮機と、
前記エンジンに結合されるコントローラーであって、前記空気圧出力、前記第１の溶接出力または前記第２の溶接出力、或いは、それらの任意の組み合わせに少なくとも部分的に基づいて、前記エンジンの速度を制御するように構成されるコントローラーと、
前記エンジン、前記発電機、前記第１の溶接システム、前記第２の溶接システムおよび前記空気圧縮機を少なくとも部分的に取り囲むように構成される筐体とを備えるシステム。
［特徴１８］
前記第１の溶接出力および前記第２の溶接出力は、定電流出力、定電圧出力、或いは、それらの任意の組み合わせを含む特徴１７に記載のシステム。
［特徴１９］
前記発電機に結合される補助回路を備え、該補助回路は、補助出力端子に補助出力を提供するように構成される特徴１７に記載のシステム。
［特徴２０］
独立モードにおいて、前記第１の溶接出力は前記第２の溶接出力と独立している特徴１７に記載のシステム。
【手続補正２】
【補正対象書類名】特許請求の範囲
【補正対象項目名】全文
【補正方法】変更
【補正の内容】
【特許請求の範囲】
【請求項１】
エンジン駆動型溶接機であって、
電気出力を提供するように構成される発電機と、
前記発電機に結合され、該発電機を駆動するように構成されるエンジンと、
前記エンジンに結合される空気圧縮システムであって、空気圧出力を提供するように構成される空気圧縮システムと、
前記発電機に結合され、第１の溶接出力を提供するように構成される第１の溶接システムと、
前記発電機に接続され、第２の溶接出力を提供するように構成される第２の溶接システムであって、独立モードでは、前記第２の溶接出力は前記第１の溶接出力と独立しており、並列モードでは、前記第２の溶接出力は結合溶接出力として前記第１の溶接出力と結合される、第２の溶接システムとを備えるエンジン駆動型溶接機。
【請求項２】
エンジンと、
前記エンジンに結合され、空気圧出力を生成するように構成される空気圧縮システムと、
前記エンジンに結合され、独立モードおよび結合モードにおいて構成可能なマルチオペレーター溶接システムとを備え、
前記マルチオペレーター溶接システムは、
前記独立モードでは、前記マルチオペレーター溶接システムから第１の溶接出力を受け取るように構成され、前記結合モードでは、前記マルチオペレーター溶接システムから前記第１の溶接出力および第２の溶接出力を受け取るように構成される第１の端子組と、
前記独立モードにおいて前記マルチオペレーター溶接システムから前記第２の溶接出力を受け取るように構成される第２の端子組とを備えるシステム。
【請求項３】
エンジンと、
前記エンジンに結合される発電機であって、第１の溶接システムおよび第２の溶接システムに電力を供給するように構成され、結合モードにおいて、前記第１の溶接システムの第１の溶接出力は前記第２の溶接システムの第２の溶接出力と結合される発電機と、
前記エンジンに結合される空気圧縮機であって、空気圧出力を生成するように構成される空気圧縮機と、
前記エンジンに結合されるコントローラーであって、前記空気圧出力、前記第１の溶接出力または前記第２の溶接出力、或いは、それらの任意の組み合わせに少なくとも部分的に基づいて、前記エンジンの速度を制御するように構成されるコントローラーと、
前記エンジン、前記発電機、前記第１の溶接システム、前記第２の溶接システムおよび前記空気圧縮機を少なくとも部分的に取り囲むように構成される筐体とを備えるシステム。